(57)【要約】【課題】３電極プラズマディスプレイパネル、映像処理部、制御部、アドレス駆動部、Ｘ駆動部、Ｙ駆動部及び電力回生回路を含む３電極プラズマディスプレイ装置の駆動法を提供する。【解決手段】前面透明基板の後側にＸ電極ライン及びＹ電極ラインが互いに並びつつ交互すべく配列されてＸＹ電極ライン対をなし、背面基板の前側にアドレス電極ラインが前記ＸＹ電極ライン対について交差すべく配列され、この交差領域にてディスプレイセルが設定される。電力回生回路は、アドレス駆動部に含まれ、表示データ信号の印加が終了する時点でディスプレイセルに不要に残っている電荷を収集し、表示データ信号の印加が始まる時点で前記収集された電荷をディスプレイセルに印加する。ここで、この電力回生回路の動作いかんがアドレス電極ラインに印加される表示データ信号により制御される。【選択図】　　　　　図２１
2004046174.tif 000002
【特許請求の範囲】
【請求項１】
前面透明基板の後側にＸ電極ライン及びＹ電極ラインが互いに並びつつ交互すべく配列されてＸＹ電極ライン対をなし、背面基板の前側にアドレス電極ラインが前記ＸＹ電極ライン対に対して交差すべく配列され、前記交差領域にてディスプレイセルが設定される３電極プラズマディスプレイパネルと、外部アナログ映像信号をデジタル信号に変換して内部映像信号を発する映像処理部と、前記映像処理部からの内部映像信号により駆動制御信号を発する制御部と、前記制御部からのアドレス信号を処理して表示データ信号を発し、発せられた表示データ信号を前記アドレス電極ラインに印加するアドレス駆動部と、前記制御部からのＸ駆動制御信号を処理してＸ電極ラインに印加するＸ駆動部と、前記制御部からのＹ駆動制御信号を処理してＹ電極ラインに印加するＹ駆動部と、前記アドレス駆動部に含まれ、前記表示データ信号の印加が終了する時点で前記ディスプレイセルに不要に残っている電荷を収集し、前記表示データ信号の印加が始まる時点で前記収集された電荷を前記ディスプレイセルに印加する電力回生回路とを含んだ３電極プラズマディスプレイ装置の駆動法において、
前記電力回生回路の動作いかんが前記アドレス電極ラインに印加される表示データ信号により制御される３電極プラズマディスプレイ装置の駆動法。
【請求項２】
駆動されるディスプレイセルの電荷状態を均一にする初期化段階と、ターンオンされるディスプレイセルの電荷状態とターンオフされるディスプレイセルの電荷状態とを設定するアドレス段階と、ターンオンされるディスプレイセルがディスプレイ放電を行うようにするディスプレイ−保持段階とが単位サブフィールドで行われ、
前記電力回生回路の動作いかんは、前記アドレス段階において前記アドレス電極ラインに印加される表示データ信号により制御される請求項１に記載の３電極プラズマディスプレイ装置の駆動法。
【請求項３】
各サブフィールドの表示データ信号により前記電力回生回路の動作いかんがサブフィールド別に制御される請求項２に記載の３電極プラズマディスプレイ装置の駆動法。
【請求項４】
前記電力回生回路の動作いかんが制御される段階は、
ディスプレイされるサブフィールドの全てのＸＹ電極ライン対それぞれにつき、先に走査される１ＸＹ電極ライン対の表示データとその次に走査されるＸＹ電極ライン対の表示データの変化量であるライン間データ変化量を求める段階と、
前記サブフィールドの全てのＸＹ電極ライン対についての前記ライン間データ変化量の総合を求める段階と、
前記サブフィールドの全てのＸＹ電極ライン対につき、前記ライン間データ変化に該当するディスプレイセルの隣接ディスプレイセルとのデータ変化量であるセル間データ変化量を求める段階と、
前記サブフィールドの全てのＸＹ電極ライン対についての前記セル間データ変化量の総合を求める段階と、
前記ライン間データ変化量の総合と前記セル間データ変化量の総合とを合算して前記サブフィールドの総データ変化量を求める段階と、
前記サブフィールドの総データ変化量が所定の基準値以上ならば前記電力回生回路を動作させる段階と、
を含む請求項３に記載の３電極プラズマディスプレイ装置の駆動法。
【請求項５】
前記ライン間データ変化量を求める段階において、
先に走査される１ＸＹ電極ライン対の表示データとその次に走査されるＸＹ電極ライン対の表示データの排他的論理和演算を行う段階と、
前記排他的論理和の結果データから２進数「１」の数を前記ライン間データ変化量として設定する段階とが行われる請求項４に記載の３電極プラズマディスプレイ装置の駆動法。
【請求項６】
前記セル間データ変化量を求める段階において、
前記先に走査される１ＸＹ電極ライン対の表示データと前記排他的論理和の結果データとについてＡＮＤ演算を行って第１変化データを求める段階と、
前記その次に走査される１ＸＹ電極ライン対の表示データと前記排他的論理和の結果データとについてＡＮＤ演算を行って第２変化データを求める段階と、
前記第１変化データと前記第２変化データ間で相異なるデータのビット数を求め、前記セル間データ変化量として設定する段階とが行われる請求項５に記載の３電極プラズマディスプレイ装置の駆動法。
【請求項７】
前記電力回生回路の動作いかんが制御される段階は、
ディスプレイされるサブフィールドの全てのＸＹ電極ライン対それぞれにつき、ターンオンされるディスプレイセルの数を計数する段階と、
前記ターンオンされるディスプレイセルそれぞれについてターンオフされる隣接ディスプレイセルの数を計数する段階と、
前記ターンオンされるディスプレイセルの数とターンオフされる隣接ディスプレイセルの数とを合算する段階と、
前記合算結果が所定の基準値以上ならば前記電力回生回路を動作させない段階とを含む請求項３に記載の３電極プラズマディスプレイ装置の駆動法。
【請求項８】
先に走査される１ＸＹ電極ライン対の表示データとその次に走査されるＸＹ電極ライン対の表示データにより、前記電力回生回路の動作いかんがＸＹ電極ライン対別に制御される請求項２に記載の３電極プラズマディスプレイ装置の駆動法。
【請求項９】
前記電力回生回路の動作いかんが制御される段階は、
先に走査される１ＸＹ電極ライン対の表示データとその次に走査されるＸＹ電極ライン対の表示データの変化量であるライン間データ変化量を求める段階と、
前記ライン間データ変化に該当するディスプレイセルの隣接ディスプレイセルとのデータ変化量であるセル間データ変化量を求める段階と、
前記ライン間データ変化量と前記セル間データ変化量とを合算して総データ変化量を求める段階と、
前記総データ変化量が所定の基準値以上ならば前記電力回生回路を動作させる段階とを含む請求項８に記載の３電極プラズマディスプレイ装置の駆動法。
【請求項１０】
前記ライン間データ変化量を求める段階において、
先に走査される１ＸＹ電極ライン対の表示データとその次に走査されるＸＹ電極ライン対の表示データの排他的論理和演算を行う段階と、
前記排他的論理和の結果データから２進数「１」の数を前記ライン間データ変化量として設定する段階とが行われる請求項９に記載の３電極プラズマディスプレイ装置の駆動法。
【請求項１１】
前記セル間データ変化量を求める段階において、
前記先に走査される１ＸＹ電極ライン対の表示データと前記排他的論理和の結果データとについてＡＮＤ演算を行って第１変化データを求める段階と、
前記その次に走査される１ＸＹ電極ライン対の表示データと前記排他的論理和の結果データとについてＡＮＤ演算を行って第２変化データを求める段階と、
前記第１変化データと前記第２変化データ間で相異なるデータのビット数を求め、前記セル間データ変化量として設定する段階とが行われる請求項１０に記載の３電極プラズマディスプレイ装置の駆動法。
【請求項１２】
前記電力回生回路の動作いかんが制御される段階は、
前記その次に走査される１ＸＹ電極ライン対につき、ターンオンされるディスプレイセルの数を計数する段階と、
前記ターンオンされるディスプレイセルそれぞれについてターンオフされる隣接ディスプレイセルの数を計数する段階と、
前記ターンオンされるディスプレイセルの数とターンオフされる隣接ディスプレイセルの数とを合算する段階と、
前記合算結果が所定の基準値以上ならば前記電力回生回路を動作させない段階とを含む請求項８に記載の３電極プラズマディスプレイ装置の駆動法。
【請求項１３】
前記アドレス電極ラインが少なくとも第１アドレス電極ライン群と第２アドレス電極ライン群とに割り当てられ、
前記アドレス駆動部が少なくとも第１及び第２アドレスサブ駆動部を含み、
前記第１アドレスサブ駆動部が前記第１アドレス電極ライン群を駆動し、
前記第２アドレスサブ駆動部が前記第２アドレス電極ライン群を駆動し、
前記電力回生回路が少なくとも第１及び第２電力回生サブ回路を含み、
前記第１電力回生サブ回路の出力が前記第１アドレスサブ駆動部の電源電圧ラインに連結され、
前記第２電力回生サブ回路の出力が前記第２アドレスサブ駆動部の電源電圧ラインに連結される請求項２に記載の３電極プラズマディスプレイ装置の駆動法。
【請求項１４】
それぞれのサブフィールドの表示データ信号により前記第１及び／または第２電力回生サブ回路の動作いかんがサブフィールド別に制御される請求項１３に記載の３電極プラズマディスプレイ装置の駆動法。
【請求項１５】
前記電力回生回路の動作いかんが制御される段階は、
前記第１アドレス電極ライン群及びディスプレイされるサブフィールドの全てのＸＹ電極ライン対それぞれにつき、先に走査される１ＸＹ電極ライン対の表示データとその次に走査されるＸＹ電極ライン対の表示データの変化量である第１ライン間データ変化量を求める段階と、
前記第２アドレス電極ライン群及びディスプレイされるサブフィールドの全てのＸＹ電極ライン対それぞれにつき、先に走査される１ＸＹ電極ライン対の表示データとその次に走査されるＸＹ電極ライン対の表示データの変化量である第２ライン間データ変化量を求める段階と、
前記第１アドレス電極ライン群及び前記サブフィールドの全てのＸＹ電極ライン対についての前記ライン間データ変化量の第１総合を求める段階と、
前記第２アドレス電極ライン群及び前記サブフィールドの全てのＸＹ電極ライン対についての前記ライン間データ変化量の第２総合を求める段階と、
前記第１アドレス電極ライン群及び前記サブフィールドの全てのＸＹ電極ライン対につき、前記ライン間データ変化に該当するディスプレイセルの隣接ディスプレイセルとのデータ変化量である第１セル間データ変化量を求める段階と、
前記第２アドレス電極ライン群及び前記サブフィールドの全てのＸＹ電極ライン対につき、前記ライン間データ変化に該当するディスプレイセルの隣接ディスプレイセルとのデータ変化量である第２セル間データ変化量を求める段階と、
前記第１アドレス電極ライン群及び前記サブフィールドの全てのＸＹ電極ライン対についての前記セル間データ変化量の第１総合を求める段階と、
前記第２アドレス電極ライン群及び前記サブフィールドの全てのＸＹ電極ライン対についての前記セル間データ変化量の第２総合を求める段階と、
前記第１ライン間データ変化量の総合と前記第１セル間データ変化量の総合とを合算して前記サブフィールドの第１総データ変化量を求める段階と、
前記第２ライン間データ変化量の総合と前記第２セル間データ変化量の総合とを合算して前記サブフィールドの第２総データ変化量を求める段階と、
前記第１総データ変化量が所定の基準値以上ならば前記第１電力回生サブ回路を動作させる段階と、
前記第２総データ変化量が所定の基準値以上ならば前記第２電力回生サブ回路を動作させる段階とを含む請求項１４に記載の３電極プラズマディスプレイ装置の駆動法。
【請求項１６】
前記電力回生回路の動作いかんが制御される段階が、
前記第１アドレス電極ライン群及びディスプレイされるサブフィールドの全てのＸＹ電極ライン対それぞれにつき、ターンオンされる第１ディスプレイセルの数を計数する段階と、
前記第２アドレス電極ライン群及びディスプレイされるサブフィールドの全てのＸＹ電極ライン対それぞれにつき、ターンオンされる第２ディスプレイセルの数を計数する段階と、
前記ターンオンされる第１ディスプレイセルそれぞれについてターンオフされる第１隣接ディスプレイセルの数を計数する段階と、
前記ターンオンされる第２ディスプレイセルそれぞれについてターンオフされる第２隣接ディスプレイセルの数を計数する段階と、
前記ターンオンされる第１ディスプレイセルの数とターンオフされる第１隣接ディスプレイセルの数とを合算して第１合算結果を求める段階と、
前記ターンオンされる第２ディスプレイセルの数とターンオフされる第２隣接ディスプレイセルの数とを合算して第２合算結果を求める段階と、
前記第１合算結果が所定の基準値以上ならば前記第１電力回生サブ回路を動作させない段階と、
前記第２合算結果が所定の基準値以上ならば前記第２電力回生サブ回路を動作させない段階とを含む請求項１４に記載の３電極プラズマディスプレイ装置の駆動法。
【請求項１７】
先に走査される１ＸＹ電極ライン対の表示データとその次に走査されるＸＹ電極ライン対の表示データにより、前記第１及び／または第２電力回生サブ回路の動作いかんがＸＹ電極ライン対別に制御される請求項１３に記載の３電極プラズマディスプレイ装置の駆動法。
【請求項１８】
前記電力回生回路の動作いかんが制御される段階は、
前記第１アドレス電極ライン群につき、先に走査される１ＸＹ電極ライン対の表示データとその次に走査されるＸＹ電極ライン対の表示データの変化量である第１ライン間データ変化量を求める段階と、
前記第２アドレス電極ライン群につき、先に走査される１ＸＹ電極ライン対の表示データとその次に走査されるＸＹ電極ライン対の表示データの変化量である第２ライン間データ変化量を求める段階と、
前記第１ライン間データ変化に該当するディスプレイセルの隣接ディスプレイセルとのデータ変化量である第１セル間データ変化量を求める段階と、
前記第２ライン間データ変化に該当するディスプレイセルの隣接ディスプレイセルとのデータ変化量である第２セル間データ変化量を求める段階と、
前記第１ライン間データ変化量と前記第１セル間データ変化量とを合算して第１総データ変化量を求める段階と、
前記第２ライン間データ変化量と前記第２セル間データ変化量とを合算して第２総データ変化量を求める段階と、
前記第１総データ変化量が所定の基準値以上ならば前記第１電力回生サブ回路を動作させる段階と、
前記第２総データ変化量が所定の基準値以上ならば前記第２電力回生サブ回路を動作させる段階とを含む請求項１７に記載の３電極プラズマディスプレイ装置の駆動法。
【請求項１９】
前記電力回生回路の動作いかんが制御される段階は、
前記第１アドレス電極ライン群及び前記その次に走査される１ＸＹ電極ライン対につき、ターンオンされる第１ディスプレイセルの数を計数する段階と、
前記第２アドレス電極ライン群及び前記その次に走査される１ＸＹ電極ライン対につき、ターンオンされる第２ディスプレイセルの数を計数する段階と、
前記ターンオンされる第１ディスプレイセルそれぞれについてターンオフされる第１隣接ディスプレイセルの数を計数する段階と、
前記ターンオンされる第２ディスプレイセルそれぞれについてターンオフされる第２隣接ディスプレイセルの数を計数する段階と、
前記ターンオンされる第１ディスプレイセルの数とターンオフされる第１隣接ディスプレイセルの数とを合算して第１合算結果を求める段階と、
前記ターンオンされる第２ディスプレイセルの数とターンオフされる第２隣接ディスプレイセルの数とを合算して第２合算結果を求める段階と、
前記第１合算結果が所定の基準値以上ならば前記第１電力回生サブ回路を動作させない段階と、
前記第２合算結果行き所定の基準値以上ならば前記第２電力回生サブ回路を動作させない段階とを含む請求項１７に記載の３電極プラズマディスプレイ装置の駆動法。
【請求項２０】
サブフィールドの組合わせであるそれぞれのフレームの表示データ信号により前記電力回生回路の動作いかんがフレーム別に制御される請求項２に記載の３電極プラズマディスプレイ装置の駆動法。
【発明の詳細な説明】
【０００１】
【発明の属する技術分野】
本発明は、３電極プラズマディスプレイ装置の駆動法に係り、さらに詳細には、Ｘ電極ライン及びＹ電極ラインが交代で並んで配列されてＸＹ電極ライン対をなし、そのＸＹ電極ライン対に対してアドレス電極ラインが交差される領域にてディスプレイセルが設定される３電極面放電構造のプラズマディスプレイ装置の駆動法に関する。
【０００２】
【従来の技術】
図１は、一般的な３電極面放電方式のプラズマディスプレイパネルの構造を示す。図２は、図１のパネルの１ディスプレイセルの例を示す。図１及び２を参照すれば、一般的な面放電プラズマディスプレイパネル１の前面及び背面ガラス基板１０，１３間には、アドレス電極ラインＡＲ１，ＡＧ１，．．．，ＡＧｍ，ＡＢｍ、誘電層１１，１５、Ｙ電極ラインＹ１，．．．，Ｙｎ、Ｘ電極ラインＸ１，．．．，Ｘｎ、蛍光層１６、隔壁１７及び保護層としての一酸化マグネシウム層１２が設けられている。
【０００３】
アドレス電極ラインＡＲ１，ＡＧ１，．．．，ＡＧｍ，ＡＢｍは背面ガラス基板１３の前側に一定のパターンで形成される。アドレス電極ラインＡＲ１，ＡＧ１，．．．，ＡＧｍ，ＡＢｍが備わった背面ガラス基板１３の前面には後方誘電層１５が塗布される。後方誘電層１５の前側には隔壁１７がアドレス電極ラインＡＲ１，ＡＧ１，．．．，ＡＧｍ，ＡＢｍと平行した方向に形成される。この隔壁１７は各ディスプレイセルの放電領域を区画して各ディスプレイセル間の光学的干渉を防止する機能を果たす。蛍光層１６は隔壁１７間に形成される。
【０００４】
Ｘ電極ラインＸ１，．．．，ＸｎとＹ電極ラインＹ１，．．．，Ｙｎとはアドレス電極ラインＡＲ１，ＡＧ１，．．．，ＡＧｍ，ＡＢｍと直交すべく前面ガラス基板１０の後方に一定のパターンで形成される。各交差点は相応するディスプレイセルを設定する。各Ｘ電極ラインＸ１，．．．，Ｘｎと各Ｙ電極ラインＹ１，．．．，ＹｎとはＩＴＯ（Ｉｎｄｉｕｍ　Ｔｉｎ　Ｏｘｉｄｅ）のような透明な導電性材質の透明電極ライン（図２のＸｎａ，Ｙｎａ）と電導度を上げるための金属電極ライン（図２のＸｎｂ，Ｙｎｂ）が結合されて形成される。Ｘ電極ラインＸ１，．．．，ＸｎとＹ電極ラインＹ１，．．．，Ｙｎとが備わった前面ガラス基板１０の後には後方誘電層１１が塗布される。強電界からパネル１を保護するための保護層１２、例えば一酸化マグネシウム層は前面誘電層１１の後に全面塗布されて形成される。放電空間１４にはプラズマ形成用ガスが密封される。
【０００５】
かようなプラズマディスプレイパネルに一般的に適用される駆動方式は、初期化、アドレス及びディスプレイ−保持段階を単位サブフィールドにて順次行う方式である。初期化段階では駆動されるディスプレイセルの電荷状態が均一になる。アドレス段階では、ターンオンされるディスプレイセルの電荷状態とターンオフされるディスプレイセルの電荷状態とが設定される。ディスプレイ−保持段階では、ターンオンされるディスプレイセルがディスプレイ放電を行う。ここで、前記単位サブフィールドが単位フレームにいくつか含まれることにより、各サブフィールドのディスプレイ−保持時間により所望の階調がディスプレイされうる。
【０００６】
図３は、図１のプラズマディスプレイパネルのＹ電極ラインについての一般的なアドレス−ディスプレイ分離駆動法を示す（例えば、特許文献１参照）。図３を参照すれば、単位フレームは時分割階調表示を実現するために８つのサブフィールドＳＦ１，．．．，ＳＦ８に分割される。また、各サブフィールドＳＦ１，．．．，ＳＦ８はアドレス周期Ａ１，．．．，Ａ８とディスプレイ−保持周期Ｓ１，．．．，Ｓ８とに分割される。
【０００７】
各アドレス周期Ａ１，．．．，Ａ８では、アドレス電極ライン（図１のＡＲ１，ＡＧ１，．．．，ＡＧｍ，ＡＢｍ）に表示データ信号が印加されると同時に各Ｙ電極ラインＹ１，．．．，Ｙｎに相応する走査パルスが順次印加される。これにより走査パルスが印加される間に高レベルの表示データ信号が印加されれば、相応するディスプレイセルにてアドレス放電により壁電荷が形成され、そうでないディスプレイセルでは壁電荷が形成されない。
【０００８】
各ディスプレイ−保持周期Ｓ１，．．．，Ｓ８では、全てのＹ電極ラインＹ１，．．．，Ｙｎと全てのＸ電極ラインＸ１，．．．，Ｘｎとにディスプレイ放電用パルスが交互に印加され、相応するアドレス周期Ａ１，．．．，Ａ６にて壁電荷が形成されたディスプレイセルにて表示放電を起こす。従って、プラズマディスプレイパネルの輝度は単位フレームで占めるディスプレイ−保持周期Ｓ１，．．．，Ｓ８の長さに比例する。単位フレームで占めるディスプレイ−保持周期Ｓ１，．．．，Ｓ８の長さは２５５Ｔ（Ｔは単位時間）である。従って、単位フレームで１回も表示されない場合を含めて２５６階調と表示できる。
【０００９】
ここで、第１サブフィールドＳＦ１のディスプレイ−保持周期Ｓ１には２０に相応する時間１Ｔが、第２サブフィールドＳＦ２のディスプレイ−保持周期Ｓ２には２１に相応する時間２Ｔが、第３サブフィールドＳＦ３のディスプレイ−保持周期Ｓ３には２２に相応する時間４Ｔが、第４サブフィールドＳＦ４のディスプレイ−保持周期Ｓ４には２３に相応する時間８Ｔが、第５サブフィールドＳＦ５のディスプレイ−保持周期Ｓ５には２４に相応する時間１６Ｔが、第６サブフィールドＳＦ６のディスプレイ−保持周期Ｓ６には２５に相応する時間３２Ｔが、第７サブフィールドＳＦ７のディスプレイ−保持周期Ｓ７には２６に相応する時間６４Ｔが、そして第８サブフィールドＳＦ８のディスプレイ−保持周期Ｓ８には２７に相応する時間１２８Ｔがそれぞれ設定される。
【００１０】
これにより、８つのサブフィールドのうち表示されるサブフィールドを適切に選択すれば、いかなるサブフィールドでも表示されない０階調を含めて全て２５６階調の表示が行いうることが分かる。
【００１１】
前記の如くのアドレス−ディスプレイ分離駆動法によれば、単位フレームにて各サブフィールドＳＦ１，．．．，ＳＦ８の時間領域が分離されているので、各サブフィールドＳＦ１，．．．，ＳＦ８にてアドレス周期と表示周期の時間領域も互いに分離されている。従って、アドレス周期にて各ＸＹ電極ライン対が自体のアドレシングが行われた後で他のＸＹ電極ライン対が全てアドレシングされるまで待たねばならない。結局、各サブフィールドについてアドレス周期が占める時間が長くなって表示周期が相対的に短くなるので、プラズマディスプレイパネルから出射される光の輝度が相対的に低くなる問題点がある。かような問題点を改善するための公知方法が図４に示されたようなアドレス−ディスプレイ同時駆動法である。
【００１２】
図４は、図１のプラズマディスプレイパネルのＹ電極ラインについての一般的なアドレス−ディスプレイ同時駆動法を示す。図４を参照すれば、単位フレームは時分割階調表示のために８つのサブフィールドＳＦ１，．．．，ＳＦ８に区分される。ここで、各単位サブフィールドは駆動されるＹ電極ラインＹ１，．．．，Ｙｎを基準に互いに重複されて単位フレームを構成する。従って、全ての時点で全てのサブフィールドＳＦ１，．．．，ＳＦ８が存在するので、各アドレス段階実行のために各ディスプレイ放電用パルス間にアドレス用時間スロットが設定される。
【００１３】
各サブフィールドではリセット、アドレス及びディスプレイ−保持段階が行われ、各サブフィールドに割り当てられる時間は、階調に相応するディスプレイ−放電保持時間により決まる。例えば、８ビット映像データでフレーム単位で２５６階調を表示する場合に、単位フレーム（一般的に１／６０秒）が２５５単位時間でなされるならば、最下位ビットの映像データにより駆動される第１サブフィールドＳＦ１は１（２０）単位時間、第２サブフィールドＳＦ２は２（２１）単位時間、第３サブフィールドＳＦ３は４（２２）単位時間、第４サブフィールドＳＦ４は８（２３）単位時間、第５サブフィールドＳＦ５は１６（２４）単位時間、第６サブフィールドＳＦ６は３２（２５）単位時間、第７サブフィールドＳＦ７は６４（２６）単位時間、そして最上位ビットの映像データにより駆動される第８サブフィールドＳＦ８は１２８（２７）単位時間をそれぞれ有する。すなわち、各サブフィールドに割り当てられた単位時間の和は２５５単位時間であるので、２５５階調表示が可能であり、ここにいかなるサブフィールドでもディスプレイ放電されない階調を含めば２５６階調表示が可能である。
【００１４】
図５は、図１のプラズマディスプレイパネルの一般的な駆動装置を示す。図５を参照すれば、プラズマディスプレイパネル１の一般的な駆動装置は映像処理部６６、制御部６２、アドレス駆動部６３、Ｘ駆動部６４及びＹ駆動部６５を含む。映像処理部６６は、外部アナログ映像信号をデジタル信号に変換して内部映像信号、例えばそれぞれ８ビットの赤色（Ｒ）、緑色（Ｇ）及び青色（Ｂ）映像データ、クロック信号、垂直及び水平動機信号を発する。制御部６２は、映像処理部６６からの内部映像信号により駆動制御信号ＳＡ，ＳＹ，ＳＸを発する。アドレス駆動部６３は、制御部６２からの駆動制御信号ＳＡ，ＳＹ，ＳＸのうちアドレス信号ＳＡを処理して表示データ信号を発し、発せられた表示データ信号をアドレス電極ライン（図１のＡＲ１，ＡＧ１，．．．，ＡＧｍ，ＡＢｍ）に印加する。Ｘ駆動部６４は、制御部６２からの駆動制御信号ＳＡ，ＳＹ，ＳＸのうちＸ駆動制御信号ＳＸを処理してＸ電極ラインに印加する。Ｙ駆動部６５は、制御部６２からの駆動制御信号ＳＡ，ＳＹ，ＳＸのうちＹ駆動制御信号ＳＹを処理してＹ電極ラインに印加する。
【００１５】
図６は、図５の装置のアドレス駆動部６３に含まれた電力回生回路６３ｂを示す。図１、５及び６を参照すれば、アドレス駆動回路６３は、制御部６２からの駆動制御信号ＳＡ，ＳＹ，ＳＸのうちアドレス信号ＳＡを処理して表示データ信号ＳＡＲ１，ＳＡＧ１，．．．，ＳＡＧｍ，ＳＡＢｍを発し、発せられた表示データ信号ＳＡＲ１，ＳＡＧ１，．．．，ＳＡＧｍ，ＳＡＢｍをアドレス電極ラインＡＲ１，ＡＧ１，．．．，ＡＧｍ，ＡＢｍに印加する。このアドレス駆動回路６３ａの電源電圧ＶＡ、すなわちアドレシング電圧は、電力回生回路６３ｂの動作により制御される。その理由は、表示データ信号ＳＡＲ１，ＳＡＧ１，．．．，ＳＡＧｍ，ＳＡＢｍの印加が終了する時点でプラズマディスプレイパネル１のディスプレイセルに不要に残っている電荷を収集し、表示データ信号ＳＡＲ１，ＳＡＧ１，．．．，ＳＡＧｍ，ＳＡＢｍの印加が始まる時点で前記収集された電荷をディスプレイセルに印加するためである。電力回生回路６３ｂにおいて、共振コイルＬＰＲのインダクタンスは、プラズマディスプレイパネル１の平均動作キャパシタンスについて共振できるように設定される。電力回生回路６３ｂの動作を段階的に説明すれば次の通りである。
【００１６】
表示データ信号ＳＡＲ１，ＳＡＧ１，．．．，ＳＡＧｍ，ＳＡＢｍ印加が終了する時点において、第２スイッチＳ２だけターンオンされることにより、プラズマディスプレイパネル１のディスプレイセルに不要に残っている電荷がアドレス駆動回路６３ａの電源電圧印加端子ＶＰＰ、共振コイルＬＰＲ及び第２スイッチＳ２を通じて充放電用キャパシティＣＰＲに収集される。
【００１７】
次に、第４スイッチＳ４だけターンオンされることにより、アドレス駆動回路６３ａの電源電圧ＶＡは接地電圧になる。
【００１８】
次に、表示データ信号ＳＡＲ１，ＳＡＧ１，．．．，ＳＡＧｍ，ＳＡＢｍの印加が始まる時点において、第１スイッチＳ１だけターンオンされることにより、充放電用キャパシティＣＰＲに収集された電荷が第１スイッチＳ１、共振コイルＬＰＲ及びアドレス駆動回路６３ａの電源電圧印加端子ＶＰＰを通じてプラズマディスプレイパネル１のディスプレイセルに印加される。
【００１９】
そして、第３スイッチＳ３だけターンオンされることにより、アドレス駆動回路６３ａに電源電圧ＶＡが印加され、表示データ信号ＳＡＲ１，ＳＡＧ１，．．．，ＳＡＧｍ，ＳＡＢｍの印加が進められる。
【００２０】
前記段階は、それぞれのＸＹ電極ライン対について周期的及び順次走査が行われるにつれて同期し、周期的及び持続的に反復して行われる。
【００２１】
図７は、先に走査される第１ＸＹ電極ライン対Ｘ１Ｙ１の表示データとその次に走査される第２ＸＹ電極ライン対Ｘ２Ｙ２の表示データの論理状態の一例を示す。図７において、図１と同じ参照符号は同機能の対象を指す。図７を参照すれば、第１緑色アドレス電極ラインＡＧ１のデータは、第１及び第２ＸＹ電極ライン対Ｘ１Ｙ１，Ｘ２Ｙ２どちらについてもオン状態を保持する。
【００２２】
図８は、従来の一駆動法により図６の電力回生回路６３ｂが動作した場合に図７の第１緑色アドレス電極ラインＡＧ１に印加される表示データの波形を示す。図８を参照すれば、図６の電力回生回路６３ｂが動作した場合に、オンデータの変動がないにもかかわらず断続的なパルスが印加されることが分かる。
【００２３】
図９は、従来のさらに他の駆動法により図６の電力回生回路６３ｂが動作しない場合に図７の第１緑色アドレス電極ラインＡＧ１に印加される表示データの波形を示す。図９を参照すれば、図６の電力回生回路６３ｂが動作しない場合に、オンデータの変動がないので持続的なパルスが印加されることが分かる。
【００２４】
図１０は、図９の従来の駆動法により図６の電力回生回路６３ｂが動作しない場合にアドレス負荷率ＡＬ１についてのアドレシング電力ＰＡの特性を示す。ここで、アドレス負荷率ＡＬ１は、ライン間データ変化量の総合と、前記ライン間データ変化に該当するディスプレイセルの隣接ディスプレイセルとのデータ変化量であるセル間データ変化量の総合に比例する。すなわち、図１０を参照すれば、アドレシング電力ＰＡが前記ライン間データ変化量の総合と前記セル間データ変化量の総合とに比例することが分かる。
【００２５】
図１１は、図８の従来の駆動法により図６の電力回生回路６３ｂが動作する場合に、アドレス負荷率ＡＬ２についてのアドレシング電力ＰＡの特性を示す。ここで、アドレス負荷率ＡＬ１は、ターンオンされるディスプレイセルの数と前記ターンオンされるディスプレイセルそれぞれについてターンオフされる隣接ディスプレイセルの数とに比例する。すなわち、図１１を参照すれば、アドレシング電力ＰＡがターンオンされるディスプレイセルの数と前記ターンオンされるディスプレイセルそれぞれについてターンオフされる隣接ディスプレイセルの数とに比例することが分かる。
【００２６】
従って、前記図９の従来の駆動法によれば、ライン間データ変化量の総合と前記セル間データ変化量の総合とが相対的に大きい映像データについて相対的に大きいアドレシング電力が生じる問題点がある。また、前記図８の従来の駆動法によれば、ターンオンされるディスプレイセルの数と前記ターンオンされるディスプレイセルそれぞれについてターンオフされる隣接ディスプレイセルの数とが相対的に大きい映像データについて相対的に大きいアドレシング電力が生じる問題点がある。
【００２７】
要約すれば、前記従来の駆動法によれば、映像データの特性を反映できないことにより不必要なアドレシング電力を生じるという問題点がある。
【００２８】
【特許文献１】
米国特許第５，５４１，６１８号公報
【００２９】
【発明が解決しようとする課題】
本発明の目的は、３電極プラズマディスプレイ装置の駆動法において、映像データの特性を適切に反映することにより不必要なアドレシング電力の発生を防止できる駆動法を提供することである。
【００３０】
【課題を解決するための手段】
前記目的をなすための本発明は、３電極プラズマディスプレイパネル、映像処理部、制御部、アドレス駆動部、Ｘ駆動部、Ｙ駆動部及び電力回生回路を含んだ３電極プラズマディスプレイ装置の駆動法である。前記３電極プラズマディスプレイパネルでは、前面透明基板の後側にＸ電極ライン及びＹ電極ラインが互いに並びつつ交互すべく配列されてＸＹ電極ライン対をなし、背面基板の前側にアドレス電極ラインが前記ＸＹ電極ライン対に対して交差すべく配列され、前記交差領域にてディスプレイセルが設定される。前記映像処理部は外部アナログ映像信号をデジタル信号に変換して内部映像信号を発する。前記制御部は前記映像処理部からの内部映像信号により駆動制御信号を発する。前記アドレス駆動部は、前記制御部からのアドレス信号を処理して表示データ信号を発し、発せられた表示データ信号を前記アドレス電極ラインに印加する。前記Ｘ駆動部は前記制御部からのＸ駆動制御信号を処理してＸ電極ラインに印加する。前記Ｙ駆動部は前記制御部からのＹ駆動制御信号を処理してＹ電極ラインに印加する。前記電力回生回路は、前記アドレス駆動部に含まれ、前記表示データ信号の印加が終了する時点で前記ディスプレイセルに不要に残っている電荷を収集し、前記表示データ信号の印加が始まる時点で前記収集された電荷を前記ディスプレイセルに印加する。ここで、前記電力回生回路の動作いかんが前記アドレス電極ラインに印加される表示データ信号により制御される。
【００３１】
本発明の前記駆動法によれば、前記電力回生回路の動作いかんが前記アドレス電極ラインに印加される表示データ信号により制御されるので、映像データの特性を適切に反映することにより不必要なアドレシング電力の発生を防止できる。
【００３２】
【発明の実施の形態】
以下、本発明による実施例を詳細に説明する。
【００３３】
図１、５及び６を参照すれば、本発明は、３電極プラズマディスプレイパネル１、映像処理部６６、論理制御部６２、電力回生回路６３ｂを含んだアドレス駆動部６３、Ｘ駆動部６４、Ｙ駆動部６５を含んだ３電極プラズマディスプレイ装置の駆動法である。
【００３４】
３電極プラズマディスプレイパネル１では、前面透明基板１０の後側にＸ電極ラインＸ１，．．．，Ｘｎ及びＹ電極ラインＹ１，．．．，Ｙｎが互いに並びつつ、交互に配列されてＸＹ電極ライン対Ｘ１Ｙ１，．．．，ＸｎＹｎをなし、背面基板１３の前側にアドレス電極ラインＡＲ１，ＡＧ１，．．．，ＡＧｍ，ＡＢｍがＸＹ電極ライン対Ｘ１Ｙ１，．．．，ＸｎＹｎに対して交差すべく配列され、この交差領域にてディスプレイセルが設定される。
【００３５】
映像処理部６６は、外部アナログ映像信号をデジタル信号に変換して内部映像信号例えば、それぞれ８ビットのＲ、Ｇ及びＢ映像データ、クロック信号、垂直及び水平動機信号を発する。制御部６２は、映像処理部６６からの内部映像信号により駆動制御信号ＳＡ，ＳＹ，ＳＸを発する。アドレス駆動部６３は、制御部６２からの駆動制御信号ＳＡ，ＳＹ，ＳＸのうちアドレス信号ＳＡを処理して表示データ信号を発し、発せられた表示データ信号をアドレス電極ラインＡＲ１，ＡＧ１，．．．，ＡＧｍ，ＡＢｍに印加する。Ｘ駆動部６４は、制御部６２からの駆動制御信号ＳＡ，ＳＹ，ＳＸのうちＸ駆動制御信号ＳＸを処理してＸ電極ラインに印加する。Ｙ駆動部６５は、制御部６２からの駆動制御信号ＳＡ，ＳＹ，ＳＸのうちＹ駆動制御信号ＳＹを処理してＹ電極ラインに印加する。
【００３６】
電力回生回路６３ｂは、アドレス駆動部６３に含まれ、表示データ信号ＳＡＲ１，ＳＡＧ１，．．．，ＳＡＧｍ，ＳＡＢｍの印加が終了する時点でプラズマディスプレイパネル１のディスプレイセルに不要に残っている電荷を収集し、表示データ信号ＳＡＲ１，ＳＡＧ１，．．．，ＳＡＧｍ，ＳＡＢｍの印加が始まる時点で前記収集された電荷をディスプレイセルに印加する。
【００３７】
より詳細には、プラズマディスプレイパネル１に適用される基本的な駆動法は、初期化、アドレス及びディスプレイ−保持段階を、単位サブフィールドにおいて順次行う方式である。初期化段階では、駆動されるディスプレイセルの電荷状態が均一になる。アドレス段階では、ターンオンされるディスプレイセルの電荷状態とターンオフされるディスプレイセルの電荷状態とが設定される。ディスプレイ−保持段階では、ターンオンされるディスプレイセルがディスプレイ放電を行う。ここで、電力回生回路６３ｂの動作いかんは、アドレス段階にてアドレス電極ラインＡＲ１，ＡＧ１，．．．，ＡＧｍ，ＡＢｍに印加される表示データ信号ＳＡＲ１，ＳＡＧ１，．．．，ＳＡＧｍ，ＳＡＢｍにより制御される。
【００３８】
（第１実施例）
本発明の第１実施例では、それぞれのサブフィールドの表示データ信号により電力回生回路６３ｂの動作いかんがサブフィールド別に制御されるが、電力回生回路６３ｂを動作させない場合のアドレシング電力を予測し、前記アドレシング電力が所定の基準値以上ならば電力回生回路６３ｂを動作させる。
【００３９】
ここで、前記アドレシング電力を予測する方法は次の通りである。この方法により、それぞれのサブフィールドの表示データ信号により、電力回生回路６３ｂの動作いかんがサブフィールド別に制御できる。また、その方法によりサブフィールドの組合わせのそれぞれのフレームの表示データ信号により電力回生回路６３ｂの動作いかんをフレーム別に制御することもできる。
【００４０】
まず、ディスプレイされるサブフィールドの全てのＸＹ電極ライン対Ｘ１Ｙ１，．．．，ＸｎＹｎそれぞれにつき、先に走査される１ＸＹ電極ライン対の表示データとその次に走査されるＸＹ電極ライン対の表示データの変化量であるライン間データ変化量を求める。次に、前記サブフィールドの全てのＸＹ電極ライン対Ｘ１Ｙ１，．．．，ＸｎＹｎについての前記ライン間データ変化量の総合ｎ３を求める。次に、前記サブフィールドの全てのＸＹ電極ライン対Ｘ１Ｙ１，．．．，ＸｎＹｎにつき、前記ライン間データ変化に該当するディスプレイセルの隣接ディスプレイセルとのデータ変化量であるセル間データ変化量を求める。
【００４１】
図１５〜図２０は、先に走査される第１ＸＹ電極ライン対の表示データとその次に走査される第２ＸＹ電極ライン対の表示データの論理状態の例を示す図面である。
【００４２】
図１５を参照すれば、３つのアドレス電極ラインＡＧ１，ＡＢ１，ＡＧ２においてデータが変化するにつれ、このアドレス電極ラインＡＧ１，ＡＢ１，ＡＧ２についての第２ＸＹ電極ライン対Ｘ２Ｙ２間で消費電力に作用する３つのキャパシタンス３ＣＸが生じることが分かる。すなわち、ライン間データ変化量が３ＣＸである。ここで、ライン間データ変化に該当する３つのディスプレイセルはそれぞれ両方向に隣接ディスプレイセルと異なるデータ変化状態を有する。従って、ライン間データ変化に該当する３つのディスプレイセルの両側において消費電力に作用する５つのキャパシタンス５Ｃａが生じることが分かる。すなわち、前記セル間データ変化量が５Ｃａである。
【００４３】
図１６を参照すれば、３つのアドレス電極ラインＡＧ１，ＡＢ１，ＡＲ２にてデータが変化するにつれ、このアドレス電極ラインＡＧ１，ＡＢ１，ＡＲ２についての第２ＸＹ電極ライン対Ｘ２Ｙ２間で消費電力に作用する３つのキャパシタンス３ＣＸが生じることが分かる。すなわち、ライン間データ変化量が３ＣＸである。ここで、ライン間データ変化に該当するディスプレイセルにおいて、第１緑色アドレス電極ラインＡＧ１と第１ＸＹ電極ライン対Ｘ１Ｙ１とにより設定されるディスプレイセルの両側にて消費電力に作用する２つのキャパシタンス２Ｃａが生じることが分かる。また、第１青色アドレス電極ラインＡＢ１と第２ＸＹ電極ライン対Ｘ２Ｙ２とにより設定されるディスプレイセル、及び第２赤色アドレス電極ラインＡＲ２と第２ＸＹ電極ライン対Ｘ２Ｙ２とにより設定されるディスプレイセル間には同じアドレス電圧ＶＡが印加されるので、それらにより消費電力に作用する２つのキャパシタンス２Ｃａが生じることが分かる。すなわち、前記セル間データ変化量が４Ｃａである。
【００４４】
図１７を参照すれば、３つのアドレス電極ラインＡＧ１，ＡＢ１，ＡＧ２においてデータが変化するにつれ、このアドレス電極ラインＡＧ１，ＡＢ１，ＡＧ２についての第２ＸＹ電極ライン対Ｘ２Ｙ２間で消費電力に作用する３つのキャパシタンス３ＣＸが生じることが分かる。すなわち、ライン間データ変化量が３ＣＸである。ここで、ライン間データ変化に該当する３つのディスプレイセルはそれぞれ両方向に隣接ディスプレイセルと異なるデータ変化状態を有する。従って、ライン間データ変化に該当する３つのディスプレイセルの両側にて消費電力に作用する５つのキャパシタンス５Ｃａが生じることが分かる。すなわち、前記セル間データ変化量が５Ｃａである。
【００４５】
図１８を参照すれば、３つのアドレス電極ラインＡＧ１，ＡＢ１，ＡＲ２においてデータが変化するにつれ、このアドレス電極ラインＡＧ１，ＡＢ１，ＡＲ２についての第２ＸＹ電極ライン対Ｘ２Ｙ２間で消費電力に作用する３つのキャパシタンス３ＣＸが生じることが分かる。すなわち、ライン間データ変化量が３ＣＸである。ここで、ライン間データ変化に該当するディスプレイセルにおいて、第１緑色アドレス電極ラインＡＧ１と第２ＸＹ電極ライン対Ｘ２Ｙ２とにより設定されるディスプレイセルの両側において消費電力に作用する２つのキャパシタンス２Ｃａが生じることが分かる。また、第１青色アドレス電極ラインＡＢ１と第１ＸＹ電極ライン対Ｘ１Ｙ１とにより設定されるディスプレイセル、及び第２赤色アドレス電極ラインＡＲ２と第１ＸＹ電極ライン対Ｘ１Ｙ１とにより設定されるディスプレイセル間には同じアドレス電圧ＶＡが印加されるので、それらにより消費電力に作用する２つのキャパシタンス２Ｃａが生じることが分かる。すなわち、前記セル間データ変化量が４Ｃａである。
【００４６】
図１９を参照すれば、１つのアドレス電極ラインＡＧ１においてデータが変化するにつれ、このアドレス電極ラインＡＧ１についての第２ＸＹ電極ライン対Ｘ２Ｙ２間で消費電力に作用する１つのキャパシタンスＣＸが生じることが分かる。すなわち、ライン間データ変化量がＣＸである。ここで、ライン間データ変化に該当するディスプレイセルにおいて、第１緑色アドレス電極ラインＡＧ１と第１ＸＹ電極ライン対Ｘ１Ｙ１とにより設定されるディスプレイセルの両側にて消費電力に作用する２つのキャパシタンス２Ｃａが生じることが分かる。すなわち、前記セル間データ変化量が２Ｃａである。
【００４７】
図２０を参照すれば、１つのアドレス電極ラインＡＢ１においてデータが変化するにつれ、このアドレス電極ラインＡＢ１についての第２ＸＹ電極ライン対Ｘ２Ｙ２間で消費電力に作用する１つのキャパシタンスＣＸが生じることが分かる。すなわち、ライン間データ変化量がＣＸである。ここで、ライン間データ変化に該当するディスプレイセルにおき、第１青色アドレス電極ラインＡＢ１と第１ＸＹ電極ライン対Ｘ１Ｙ１とにより設定されるディスプレイセルの左側にて消費電力に作用する１つのキャパシタンスＣａが生じ、第１青色アドレス電極ラインＡＢ１と第２ＸＹ電極ライン対Ｘ２Ｙ２とにより設定されるディスプレイセルの右側にて消費電力に作用する１つのキャパシタンスＣａが生じることが分かる。すなわち、前記セル間データ変化量が２Ｃａである。
【００４８】
前記図１５ないし２０を参照して説明された方法により、先に走査される１ＸＹ電極ライン対の表示データとその次に走査されるＸＹ電極ライン対の表示データの変化量であるライン間データ変化量を求められる。また、前記サブフィールドの全てのＸＹ電極ライン対につき、前記ライン間データ変化に該当するディスプレイセルの隣接ディスプレイセルとのデータ変化量であるセル間データ変化量を求められる。
【００４９】
次に、前記サブフィールドの全てのＸＹ電極ライン対についての前記セル間データ変化量の総合ｎ４を求める。その次に、前記ライン間データ変化量の総合と前記セル間データ変化量の総合とを合算して前記サブフィールドの総データ変化量を求める。さらに次に、前記サブフィールドの総データ変化量が所定の基準値以上ならば前記電力回生回路６３ｂを動作させる。
【００５０】
ここで、前記サブフィールドの全てのＸＹ電極ライン対についての前記ライン間データ変化量の総合をｎ３×ＣＸ、前記ライン間データ変化量の総合ｎ３×ＣＸの係数をａ、前記サブフィールドの全てのＸＹ電極ライン対についての前記セル間データ変化量の総合をｎ４×Ｃａ、前記セル間データ変化量の総合ｎ４×Ｃａの係数をｂとすれば、下の数式１により電力回生回路６３ｂが動作しない場合の前記サブフィールドでのアドレシング電力ＰＡＳＮを計算できる。
【００５１】
ＰＡＳＮ＝ａ×ｎ３×ＣＸ＋ｂ×ｎ４×Ｃａ　…　数式１　。
【００５２】
図２１は、本発明による駆動法により図６の電力回生回路６３ｂの動作いかんが制御されるアドレス負荷率ＡＬについてのアドレシング電力ＰＡの特性を示す。図２１において、第１アドレス負荷率ＡＬ１は、ライン間データ変化量の総合と、前記ライン間データ変化に該当するディスプレイセルの隣接ディスプレイセルとのデータ変化量であるセル間データ変化量の総合に比例する。また、第２アドレス負荷率ＡＬ２は、ターンオンされるディスプレイセルの数と前記ターンオンされるディスプレイセルそれぞれについてターンオフされる隣接ディスプレイセルの数とに比例する。すなわち、図２１を参照すれば、前記第１実施例にて設定された基準値が第１アドレス負荷率ＡＬ１の最大値であることが分かる。
【００５３】
一方、前記ライン間データ変化量を求める解決法は次の通りである。第一に、先に走査される１ＸＹ電極ライン対の表示データとその次に走査されるＸＹ電極ライン対の表示データの排他的論理和演算を行う。第二に、前記排他的論理和の結果データから２進数「１」の数を前記ライン間データ変化量として設定する。
【００５４】
ここで、前記セル間データ変化量を求める解決法は次の通りである。第一に、前記先に走査される１ＸＹ電極ライン対の表示データと前記排他的論理和の結果データとについてＡＮＤ演算を行って第１変化データを求める。第二に、前記その次に走査される１ＸＹ電極ライン対の表示データと前記排他的論理和の結果データとについてＡＮＤ演算を行って第２変化データを求める。そして第三に、前記第１変化データと前記第２変化データ間で相異なるデータのビット数を求め、前記セル間データ変化量として設定する。
【００５５】
（第２実施例）
本発明の第２実施例では、それぞれのサブフィールドの表示データ信号により電力回生回路６３ｂの動作いかんがサブフィールド別に制御されるが、電力回生回路６３ｂを動作させた場合のアドレシング電力を予測し、前記アドレシング電力が所定の基準値以上ならば電力回生回路６３ｂを動作させない。
【００５６】
ここで、前記アドレシング電力を予測する方法は次の通りである。この方法によりそれぞれのサブフィールドの表示データ信号により電力回生回路６３ｂの動作いかんがサブフィールド別に制御できる。また、その方法によりサブフィールドの組合わせであるそれぞれのフレームの表示データ信号により電力回生回路６３ｂの動作いかんをフレーム別に制御することもできる。
【００５７】
まず、ディスプレイされるサブフィールドの全てのＸＹ電極ライン対Ｘ１Ｙ１，．．．，ＸｎＹｎそれぞれにつき、ターンオンされるディスプレイセルの数を計数する。次に、ターンオンされるディスプレイセルそれぞれについてターンオフされる隣接ディスプレイセルの数を計数する。
【００５８】
図１２は、図６の電力回生回路が動作し、赤色の発光が具現された場合、消費電力を決定するキャパシタンスを示す図面である。
【００５９】
図１２を参照すれば、第１ＸＹ電極ライン対Ｘ１Ｙ１について２つのアドレス電極ラインＡＲ１，ＡＲ２による２つのディスプレイセルがターンオンされる。これにより、２つのアドレス電極ラインＡＲ１，ＡＲ２と第１ＸＹ電極ライン対Ｘ１Ｙ１間で消費電力に作用する２つのキャパシタンス２ＣＸが生じることが分かる。また、ターンオンされるディスプレイセルにおき、第１赤色アドレス電極ラインＡＲ１の右側にて消費電力に作用する１つのキャパシタンスＣａが生じ、第２赤色アドレス電極ラインＡＲ２の両側にて消費電力に作用する２つのキャパシタンス２Ｃａが生じる。すなわち、ターンオンされるディスプレイセルそれぞれについてターンオフされる隣接ディスプレイセルが３つであることが分かる。
【００６０】
図１３は、図６の電力回生回路が動作し、マジェンダ発光が具現された場合、消費電力を決定するキャパシタンスを示す図面である。
【００６１】
図１３を参照すれば、第１ＸＹ電極ライン対Ｘ１Ｙ１について４つのアドレス電極ラインＡＲ１，ＡＢ１，ＡＲ２，ＡＢ２による４つのディスプレイセルがターンオンされる。これにより、４つのアドレス電極ラインＡＲ１，ＡＢ１，ＡＲ２，ＡＢ２と第１ＸＹ電極ライン対Ｘ１Ｙ１間で消費電力に作用する４つのキャパシタンス４ＣＸが生じることが分かる。また、ターンオンされるディスプレイセルにおき、第１赤色アドレス電極ラインＡＲ１の右に消費電力に作用する１つのキャパシタンスＣａが生じ、第１青色アドレス電極ラインＡＢ１の左に消費電力に作用する１つのキャパシタンスＣａが生じ、第２赤色アドレス電極ラインＡＲ２の右に消費電力に作用する１つのキャパシタンスＣａが生じ、第２青色アドレス電極ラインＡＢ２の左に消費電力に作用する１つのキャパシタンスＣａが生じる。すなわち、ターンオンされるディスプレイセルそれぞれについてターンオフされる隣接ディスプレイセルが４つであることが分かる。
【００６２】
図１４は、図６の電力回生回路が動作し、白色発光が具現された場合、消費電力を決定するキャパシタンスを示す図面である。
【００６３】
図１４を参照すれば、第１ＸＹ電極ライン対Ｘ１Ｙ１について６つのアドレス電極ラインＡＲ１，．．．，ＡＢ２による６つのディスプレイセルがターンオンされる。これにより、６つのアドレス電極ラインＡＲ１，．．．，ＡＢ２と第１ＸＹ電極ライン対Ｘ１Ｙ１間で消費電力に作用する６つのキャパシタンス６ＣＸが生じることが分かる。また、ターンオンされるディスプレイセルそれぞれについてターンオフされる隣接ディスプレイセルが存在しないことが分かる。
【００６４】
前記図１２ないし１４を参照して説明された方法によれば、ディスプレイされるサブフィールドの全てのＸＹ電極ライン対Ｘ１Ｙ１，．．．，ＸｎＹｎそれぞれにつき、ターンオンされるディスプレイセルの数を計数できる。また、ターンオンされるディスプレイセルそれぞれについてターンオフされる隣接ディスプレイセルの数を計数できる。
【００６５】
次に、前記ターンオンされるディスプレイセルの数とターンオフされる隣接ディスプレイセルの数とを合算する。次に、前記合算結果が所定の基準値以上ならば前記電力回生回路を動作させない。
【００６６】
ここで、前記サブフィールドの全てのＸＹ電極ライン対についての前記ターンオンされるディスプレイセルの数の総合をｎ７×ＣＸ、前記ターンオンされるディスプレイセルの数の総合ｎ７×ＣＸの係数をｃ、ターンオンされるディスプレイセルそれぞれについてターンオフされる隣接ディスプレイセルの数の総合をｎ８×Ｃａ、前記ターンオンされるディスプレイセルそれぞれについてターンオフされる隣接ディスプレイセルの数の総合ｎ８×Ｃａの係数をｄとすれば、下の数式２により電力回生回路６３ｂが動作する場合の前記サブフィールドでのアドレシング電力ＰＡＳを計算できる。
【００６７】
ＰＡＳ＝ｃ×ｎ７×ＣＸ＋ｄ×ｎ８×Ｃａ　…　数式２　。
【００６８】
図２１を参照すれば、前記第２実施例において設定された基準値が第２アドレス負荷率ＡＬ２の最小値であることが分かる。
【００６９】
（第３実施例）
本発明の第３実施例では、先に走査される１ＸＹ電極ライン対の表示データとその次に走査されるＸＹ電極ライン対の表示データとにより、電力回生回路６３ｂの動作いかんがＸＹ電極ライン対別に制御される。ここで、電力回生回路６３ｂを動作させない場合のアドレシング電力を予測し、前記アドレシング電力が所定の基準値以上ならば電力回生回路を動作させる。
【００７０】
ここで、前記アドレシング電力を設定する方法はすでに説明されているので、省略する。整理すれば、前記それぞれのＸＹ電極ライン対についての前記ライン間データ変化量をｎ１×ＣＸ、前記ライン間データ変化量ｎ１×ＣＸの係数をａ、前記それぞれのＸＹ電極ライン対についての前記セル間データ変化量をｎ２×Ｃａ、前記セル間データ変化量ｎ２×Ｃａの係数をｂとすれば、下の数式３により電力回生回路６３ｂが動作しない場合の前記ライン間アドレシング電力ＰＡＬＮを計算できる。
【００７１】
ＰＡＬＮ＝ａ×ｎ１×ＣＸ＋ｂ×ｎ２×Ｃａ　…　数式３　。
【００７２】
（第４実施例）
本発明の第４実施例では、先に走査される１ＸＹ電極ライン対の表示データとその次に走査されるＸＹ電極ライン対の表示データとにより、電力回生回路６３ｂの動作いかんがＸＹ電極ライン対別に制御される。ここで、電力回生回路６３ｂを動作させる場合のアドレシング電力を予測し、前記アドレシング電力が所定の基準値以上ならば電力回生回路を動作させない。
【００７３】
ここで、前記アドレシング電力を予測する方法はすでに説明されているので、省略する。整理すれば、前記それぞれのＸＹ電極ライン対についての前記ターンオンされるディスプレイセルの数をｎ５×ＣＸ、前記ターンオンされるディスプレイセルの数ｎ５×ＣＸの係数をｃ、ターンオンされるディスプレイセルそれぞれについてターンオフされる隣接ディスプレイセルの数をｎ６×Ｃａ、前記ターンオンされるディスプレイセルそれぞれについてターンオフされる隣接ディスプレイセルの数ｎ６×Ｃａの係数をｄとすれば、下の数式４により電力回生回路６３ｂが動作する場合のライン間アドレシング電力ＰＡＬを計算できる。
【００７４】
ＰＡＬ＝ｃ×ｎ５×ＣＸ＋ｄ×ｎ６×Ｃａ　…　数式４　。
【００７５】
（第５実施例）
本発明の第５実施例では、第１及び第２アドレス電極ライン群で画面領域を二等分して独立的に駆動し、それぞれのサブフィールドの表示データ信号により電力回生回路６３ｂの動作いかんがサブフィールド別に制御されるが、電力回生回路６３ｂを動作させない場合のアドレシング電力を予測し、前記アドレシング電力が所定の基準値以上ならば電力回生回路を動作させる。このための駆動法は次の通りである。
【００７６】
図１、５及び６を参照すれば、アドレス電極ラインＡＲ１，ＡＧ１，．．．，ＡＧｍ，ＡＢｍが第１アドレス電極ライン群と第２アドレス電極ライン群とに割り当てられる。アドレス駆動部６３は、少なくとも第１及び第２アドレスサブ駆動部を含む。これにより、前記第１アドレスサブ駆動部は前記第１アドレス電極ライン群を駆動し、前記第２アドレスサブ駆動部は前記第２アドレス電極ライン群を駆動する。前記電力回生回路６３ｂもやはり第１及び第２電力回生サブ回路を含む。前記第１電力回生サブ回路の出力は、前記第１アドレスサブ駆動部の電源電圧ラインに連結される。前記第２電力回生サブ回路の出力は前記第２アドレスサブ駆動部の電源電圧ラインに連結される。
【００７７】
ここで、前記アドレシング電力を予測する方法はすでに説明された通りなので省略する。
【００７８】
（第６実施例）
本発明の第６実施例では、第１及び第２アドレス電極ライン群で画面領域を二等分して独立的に駆動し、それぞれのＸＹ電極ライン対の表示データ信号により電力回生回路６３ｂの動作いかんがＸＹ電極ライン対別に制御される。ここで、電力回生回路６３ｂを動作させない場合のアドレシング電力を予測し、前記アドレシング電力が所定の基準値以上ならば電力回生回路を動作させる。前記アドレシング電力を予測する方法はすでに説明された通りなので省略する。
【００７９】
本発明の第７実施例では、第１及び第２アドレス電極ライン群で画面領域を二等分して独立的に駆動し、それぞれのサブフィールドの表示データ信号により電力回生回路６３ｂの動作いかんがサブフィールド別に制御される。ここで、電力回生回路６３ｂを動作させた場合のアドレシング電力を予測し、前記アドレシング電力が所定の基準値以上ならば電力回生回路を動作させない。ここで、前記アドレシング電力を予測する方法はすでに説明された通りなので省略する。
【００８０】
本発明の第８実施例では、第１及び第２アドレス電極ライン群で画面領域を二等分して独立的に駆動し、それぞれのＸＹ電極ライン対の表示データ信号により電力回生回路６３ｂの動作いかんがＸＹ電極ライン対別に制御される。ここで、電力回生回路６３ｂを動作させた場合のアドレシング電力を予測し、前記アドレシング電力が所定の基準値以上ならば電力回生回路を動作させない。ここで、前記アドレシング電力を予測する方法はすでに説明された通りなので省略する。
【００８１】
【発明の効果】
以上、説明された通り、本発明による３電極プラズマディスプレイ装置の駆動法によれば、電力回生回路の動作いかんがアドレス電極ラインに印加される表示データ信号により制御されるので、映像データの特性を適切に反映することにより不必要なアドレシング電力の発生を防止できる。
【００８２】
本発明は前記実施例に限定されず、請求範囲に定義された発明の思想及び範囲内で当業者により変形及び改良されうる。
【図面の簡単な説明】
【図１】一般的な３電極面放電方式のプラズマディスプレイパネルの構造を示す内部斜視図である。
【図２】図１のパネルの１ディスプレイセルの例を示す断面図である。
【図３】図１のプラズマディスプレイパネルのＹ電極ラインについての一般的なアドレス−ディスプレイ分離駆動法を示すタイミング図である。
【図４】図１のプラズマディスプレイパネルのＹ電極ラインについての一般的なアドレス−ディスプレイ同時駆動法を示すタイミング図である。
【図５】図１のプラズマディスプレイパネルの一般的な駆動装置を示すブロック図である。
【図６】図５の装置のアドレス駆動部に含まれた電力回生回路を示す図面である。
【図７】先に走査される第１ＸＹ電極ライン対の表示データとその次に走査される第２ＸＹ電極ライン対の表示データの論理状態の一例を示す図面である。
【図８】従来の一駆動方法により図６の電力回生回路が動作した場合に図７の第１緑色アドレス電極ラインに印加される表示データの波形を示す図面でである。
【図９】従来の他の駆動法により図６の電力回生回路が動作しない場合に図７の第１緑色アドレス電極ラインに印加される表示データの波形を示す図面である。
【図１０】図９の従来の駆動法により図６の電力回生回路が動作しない場合にアドレス負荷率についてのアドレシング電力の特性を示すグラフである。
【図１１】図８の従来の駆動法により図６の電力回生回路が動作する場合にアドレス負荷率についてのアドレシング電力の特性を示すグラフである。
【図１２】図６の電力回生回路が動作し、赤色の発光が具現された場合、消費電力を決定するキャパシタンスを示す図面である。
【図１３】図６の電力回生回路が動作し、マジェンダ発光が具現された場合、消費電力を決定するキャパシタンスを示す図面である。
【図１４】図６の電力回生回路が動作し、白色発光が具現された場合、消費電力を決定するキャパシタンスを示す図面である。
【図１５】先に走査される第１ＸＹ電極ライン対の表示データとその次に走査される第２ＸＹ電極ライン対の表示データの論理状態の例を示す図面である。
【図１６】先に走査される第１ＸＹ電極ライン対の表示データとその次に走査される第２ＸＹ電極ライン対の表示データの論理状態の例を示す図面である。
【図１７】先に走査される第１ＸＹ電極ライン対の表示データとその次に走査される第２ＸＹ電極ライン対の表示データの論理状態の例を示す図面である。
【図１８】先に走査される第１ＸＹ電極ライン対の表示データとその次に走査される第２ＸＹ電極ライン対の表示データの論理状態の例を示す図面である。
【図１９】先に走査される第１ＸＹ電極ライン対の表示データとその次に走査される第２ＸＹ電極ライン対の表示データの論理状態の例を示す図面である。
【図２０】先に走査される第１ＸＹ電極ライン対の表示データとその次に走査される第２ＸＹ電極ライン対の表示データの論理状態の例を示す図面である。
【図２１】本発明による駆動法により図６の電力回生回路の動作いかんが制御されるアドレス負荷率についてのアドレシング電力の特性を示すグラフである。
【符号の説明】
１…プラズマディスプレイパネル、
１０…前面ガラス基板、
１１，１５…誘電層、
１２…保護層、
１３…背面ガラス基板、
１４…放電空間、
１６…蛍光層、
１７…隔壁、
Ｘ１，．．．，Ｘｎ…Ｘ電極ライン、
Ｙ１，．．．，Ｙｎ…Ｙ電極ライン、
Ａ１，．．．，Ａｍ…アドレス電極ライン、
Ｘｎａ，Ｙｎａ…透明電極ライン、
Ｘｎｂ，Ｙｎｂ…金属電極ライン、
ＳＦ１，．．．，ＳＦ８…サブフィールド、
６２…論理制御部、
６３…アドレス駆動部、
６４…Ｘ駆動部、
６５…Ｙ駆動部、
６６…映像処理部、
６３ａ…アドレス駆動回路、
６３ｂ…電力回生回路、
ＶＡ…アドレシング電圧、
ＡＬ１，ＡＬ２，ＡＬ…アドレス負荷率、
ＰＡ…アドレシング電力。
【図１】
2004046174.tif 000003
【図２】
2004046174.tif 000004
【図３】
2004046174.tif 000005
【図４】
2004046174.tif 000006
【図５】
2004046174.tif 000007
【図６】
2004046174.tif 000008
【図７】
2004046174.tif 000009
【図８】
2004046174.tif 000010
【図９】
2004046174.tif 000011
【図１０】
2004046174.tif 000012
【図１１】
2004046174.tif 000013
【図１２】
2004046174.tif 000014
【図１３】
2004046174.tif 000015
【図１４】
2004046174.tif 000016
【図１５】
2004046174.tif 000017
【図１６】
2004046174.tif 000018
【図１７】
2004046174.tif 000019
【図１８】
2004046174.tif 000020
【図１９】
2004046174.tif 000021
【図２０】
2004046174.tif 000022
【図２１】
2004046174.tif 000023